(57)【要約】【課題】  成形誤差の生じやすい容器の周面にラベルを貼着した場合であっても、貼付ジワの発生を防止し、ラベルを容器の周面にきれいに貼着できるようにする。【解決手段】  片面に粘着層を有する基材２を備え、容器１５の筒状胴部１６に貼着されるラベルにおいて、粘着層を有する側端部粘着部３ａ、３ｂをラベルの側端部の少なくとも一側に形成し、粘着層を有する中央粘着部５をラベルの中央に形成し、該両粘着部３ａ，３ｂ、５を除く部位に非粘着領域４を形成する。【選択図】図１
2006343582.tif 000002
【特許請求の範囲】
【請求項１】
片面に粘着層を有する基材を備え、容器の筒状胴部に貼着されるラベルにおいて、粘着層を有する側端部粘着部がラベルの側端部の少なくとも一側に形成され、しかも、粘着層を有する中央粘着部がラベルの中央に形成され、さらに、該両粘着部を除く部位に非粘着領域が形成されてなることを特徴とするラベル。
【請求項２】
上記中央粘着部は、少なくともラベルの上下側端部が非粘着領域となるように形成されてなることを特徴とする請求項１に記載のラベル。
【請求項３】
上記中央粘着部は、非粘着領域を上下に分断するように、或いは、非粘着領域で囲繞されるように形成されてなることを特徴とする請求項１又は２に記載のラベル。
【請求項４】
側端部粘着部、又は、中央粘着部の少なくとも一方は、ラベルの側端部、中央に対して全体、或いは、部分的に設けられてなることを特徴とする請求項１乃至３のいずれか１項に記載のラベル。
【請求項５】
側端部粘着部の粘着層、又は、中央粘着部の粘着層の少なくとも一方は、各粘着部に対して全体、或いは、部分的に設けられてなることを特徴とする請求項１乃至４のいずれか１項に記載のラベル。
【請求項６】
側端部粘着部、又は、中央粘着部の少なくとも一方は、ドット状、千鳥格子状、ハッチング状、碁盤格子状、縞模様、蛇行状、渦巻き状のうちいずれかであることを特徴とする請求項１乃至５のいずれか１項に記載のラベル。
【請求項７】
側端部粘着部の粘着層、又は、中央粘着部の粘着層の少なくとも一方は、ドット状、千鳥格子状、ハッチング状、碁盤格子状、縞模様、蛇行状、渦巻き状のうちいずれかであることを特徴とする請求項１乃至６のいずれか１項に記載のラベル。
【請求項８】
剥離紙と請求項１乃至７のいずれかに記載のラベルとで構成されてなることを特徴とする剥離紙付きラベル。
【請求項９】
請求項１乃至８のいずれかに記載のラベルが構成単位として含まれてなることを特徴とするラベルシート。
【発明の詳細な説明】
【技術分野】
【０００１】
本発明は、成形誤差の生じやすい容器、例えばガラス製容器の筒状胴部に貼着されるラベル及び剥離紙付きラベル並びにラベルシートに関する。
【背景技術】
【０００２】
従来、化粧品などの容器における商品表示用ラベルとして、基材の裏面全体に粘着層が塗布されているものが一般に使用されている。しかしながら、このラベルを被着体である容器の胴部の周面（以下、「容器の周面」という）に貼着すると、容器の周面とラベルとの間に空気が抱き込まれることになり、ラベルにしわやふくれが生じ、結果として商品外観が損なわれる場合がある。
【０００３】
この問題を解消すべく、例えば基材の裏面に散点状の粘着剤を塗布した粘着層を備え、容器の周面と基材との間に抱き込まれる空気を外部に逃がすようにして、しわやふくれを回避するものが公知になっている（特許文献１〜４参照）。
【特許文献１】実用新案登録第２５０３７１７号公報
【特許文献２】実開平６−２００４３号公報
【特許文献３】実開昭６０−１２２３４６号公報
【特許文献４】実開昭４８−６７０６０号公報
【発明の開示】
【発明が解決しようとする課題】
【０００４】
ところが、例えば被着体がガラス製容器の場合は、容器成形時に起こる収縮等により、容器の周面に歪みが生じることがあり、前記の技術を用いたとしても、ラベル貼付時のしわやふくれが回避できないことがある。特に容器の周面を全周にわたってラベルで覆う場合には、基材の上側端部及び下側端部に粘着層を有すると、その部分が容器の周方向の歪みに追随して波打つようになって、ラベルに凹凸（波打ち）が生じる。しかも、この波打ちがラベルの外縁部分付近の被着体との境界部分に生じると、いっそう目立ち外観が著しく損なわれるという問題がある。
【０００５】
そこで、本発明は上記問題点に鑑み、成形誤差の生じやすい容器の周面にラベルを貼着した場合であっても、容器の周面にきれいに貼着できるラベル及び剥離紙付きラベル並びにラベルシートを提供することを目的とする。
【課題を解決するための手段】
【０００６】
上記課題を解決するために、本発明に係るラベルは、片面に粘着層を有する基材を備え、容器の筒状胴部に貼着されるラベルにおいて、粘着層を有する側端部粘着部がラベルの側端部の少なくとも一側に形成され、しかも、粘着層を有する中央粘着部がラベルの中央に形成され、さらに、該両粘着部を除く部位に非粘着領域が形成されてなるものである。
【０００７】
したがって、ラベルを捲回した際に、ラベルの略中央部が中央粘着部によって容器の筒状胴部の周面に沿って粘着される一方、非粘着領域によってラベルの上下端部は粘着されず、基材自体の弾性力に基づいて該上下端部に径外方向の力が略均等に作用する。よって、容器の周面に沿って捲回されるラベルの上下端部において、外観を損ねるような目障りな凹凸は生じず、ラベルの貼着された容器の商品価値を落とすこともない。
【０００８】
さらに、側端部粘着部の大きさとしては、容器の周面に対して粘着固定可能な最低限度の面積を確保できる大きさになっていることが好ましい。そして、側端部粘着部が上下方向に亘って形成されていると、容器の周面に密着することになり、この部位の外観が損なわれることはなく、容器から剥がれることもない。
【０００９】
中央粘着部の大きさとしては、容器の周面に対して粘着固定可能な最低限度の面積を確保できる大きさになっていることが好ましい。
【００１０】
そして、側端部粘着部が基材の少なくとも一側に形成されている場合は、一側の側端部粘着部によって、容器への貼着の際の位置決めをして側端部粘着部を容器の軸線に対し平行になるように貼着すれば、当該粘着部を容器の周面に対して略一直線状に固定でき、これを基準にしてラベルを容器の周方向に捲回すれば、容器の周面に対してラベルを歪めることなく貼着できるようになる。
【００１１】
基材の長さを容器の外周よりも長くして、端部を重ね合うように容器の周面に沿って捲回してもよい。また、基材の長さを容器の外周よりもラベルの貼着において短くして、互いの側端部粘着部を近接した位置で対峙するようにラベルを貼着してもよい。この場合、側端部粘着部の隙間から容器に収容された内容物の量を目視できて容易に管理できるようになる。
【００１２】
側端部粘着部が基材の一側端部のみに形成されている場合には、側端部粘着部のない他側端部の上に、側端部粘着部を有する一側端部を重ね合わせるようにして、基材を容器の周面に沿って捲回してもよい。この場合、中央粘着部が側端部粘着部のない他端部に形成されていることで、容器へのラベルの粘着が確実になる。
【００１３】
上記中央粘着部は、少なくともラベルの上下側端部が非粘着領域となるように形成するようにしてもよく、さらには、非粘着領域が上下に分断されるように、或いは、非粘着領域で囲繞されるように形成するようにしてもよい。
【００１４】
側端部粘着部、又は、中央粘着部の少なくとも一方を、ラベルの側端部、中央に対して全体、或いは、部分的に設けることが好ましい。部分的に設けた場合、例えばドット状、千鳥格子状、ハッチング状、碁盤格子状、縞模様、蛇行状、渦巻き状のうちいずれかにすることがより好ましい。
【００１５】
側端部粘着部の粘着層、又は、中央粘着部の粘着層の少なくとも一方を、各粘着部に対して全体、或いは、部分的に設けることが好ましい。部分的に設けた場合、例えばドット状、千鳥格子状、ハッチング状、碁盤格子状、縞模様、蛇行状、渦巻き状のうちいずれかにすることがより好ましい。
【００１６】
このように、粘着層、もしくは該粘着層の粘着部位を分散した場合、ラベル貼付時にラベルと容器との間に空気を抱き込んだとしても、ラベルに設けられた非粘着部位から空気が効果的に外部に逃げるようになり、基材の内部における空気の抱き込みが低減されて、しわやふくれがより一層回避されるようになる。加えて、粘着層、もしくは該粘着層の粘着部位を分散した場合、粘着部の全体が粘着層となっている場合に比して剥がしやすいという利点があり、リサイクルによる容器回収の際に有効である。
【００１７】
なお、ここでいうドット状の粘着層とは、平断面形状が円、楕円、多角形のもの、もしくは縦断面形状が錐体のものを含むものとする。
【００１８】
剥離紙と上記各ラベルとで剥離紙付きラベルを構成する。ラベルと剥離紙との間に空気が抱き込まれても、該空気をラベルの非粘着部位から効果的に外部に逃がすことができるので、ラベルと剥離紙との間におけるしわやふくれを回避できる。
【００１９】
上記各ラベルを構成単位として含むようにしてラベルシートを作製する。この場合、自動化されたラベルの貼付作業に有効である。
【発明の効果】
【００２０】
以上説明したように、本発明のラベルによれば、容器の周面に捲回されるラベルの上下端部を非粘着領域とすることで、たとえ、容器の周面に微細な歪みを生じていたとしても、その歪みに追随せず、該上下端部を容器の周面に沿うように貼着できるようにしたため、その結果、貼付ジワの発生が回避され、外観を損ねることがなく、不良率を低減できる効果がある。
【００２１】
また、ドット状、千鳥格子状、ハッチング状、碁盤格子状、縞模様、蛇行状、渦巻き状のうちいずれか一つの粘着層を中央粘着部に備えるようにした場合、貼着の際の空気の抱き込みがより一層回避され、ラベルを容器の周面に沿ってよりきれいに貼着しやすくなる。
【発明を実施するための最良の形態】
【００２２】
以下、本発明の一実施形態に係るラベルにつき、添付図面を参照しつつ説明する。
本実施形態のラベル１の構成は、図１に示すように、剥離紙１０に着脱可能に貼着された方形又は矩形の基材２を備えている。
【００２３】
なお、図１において、基材２を実線で示し、剥離紙１０を鎖線で示し、剥離紙１０は、便宜上基材２と略同一形状とする。また、例えば基材２の縦寸法は、図２（ａ）、（ｂ）に示す容器１５の円筒状の胴部１６の高さよりも小さく、横寸法は、胴部１６の外周よりも短く設定されているものとする。そして、便宜上ラベル１の単体を図示しているが、納品する際は、帯状の剥離紙に複数のラベル１，…を等間隔に貼着したものがロールに捲回された状態になっている。場合によっては、ラベル１のみ（剥離紙なし）をロールに捲回したものもある。なお、図２（ａ）、（ｂ）の１７は容器１５のキャップであり、近接するラベル１の左右の両側端部の隙間からは容器１５の内容量が目視できるようになっている。
【００２４】
基材２の裏面には、左右の両側端部に縦長の矩形状の側端部粘着部３ａ，３ｂが上下全長に亘って形成され、側端部粘着部３ａ，３ｂを除く上下端部に、側端部粘着部３ａ，３ｂと略同一形状の非粘着領域４，４が形成されている。さらに、側端部粘着部３ａ，３ｂ、及び、非粘着領域４，４で囲繞される中央部に、横長で且つ側端部粘着部３ａ，３ｂよりも幅広の矩形状の中央粘着部５が形成されている。なお、側端部粘着部３ａ，３ｂ、及び、中央粘着部５の全面に粘着剤が塗布されている。また、図示していないが、ラベル１の表面には商品の名称、内容量、成分などが印字されている。
【００２５】
つぎに本実施形態のラベル１の使用態様について説明する。まずラベル１の基材２から剥離紙１０を剥がし、一側の側端部粘着部３ａ（貼着始端部）を容器１５の胴部１６の軸線に対して平行するようにして、容器１５の胴部１６の所望の位置に貼着する。
【００２６】
この際、容器１５の周面の上下方向の歪みは小さく、しかも、一方の側端部粘着部３ａの面積が小さいため、容器１５の周面に比較的密着しやすく、しわやふくれもなく、略一直線状にきれいに貼着できる。
【００２７】
そして、基材２の中央粘着部５を容器１５の周面に沿って捲回し、他側の側端部粘着部３ｂ（貼着終端部）を、上記側端部粘着部３ａと同様に、容器１５に貼着することになるが、基材２の上端部及び下端部が非粘着領域４，４となっているので、基材２の上端部及び下端部が容器１５の周面には粘着されず、基材２が容器１５の歪みに対して追随することなく容器１５の周面に沿うように略円筒状に捲回できて、しわやふくれもなく良好な外観となる（図２（ａ）、（ｂ）参照）。また、ラベル１の貼着手順としては、ラベル１の中央粘着部５から貼着した後、側端部粘着部３ａ，３ｂを順次貼着するようにしてもよい。
【００２８】
なお、前記実施形態において、基材２を、成形誤差の生じやすいガラス製の容器１５の周面に粘着するようにしたが、同様の成形誤差を生じやすい素材の容器１５に適用できるのは言うまでもない。容器１５としては、化粧品、薬品、飲料水などの瓶類に適用できるのは言うまでもない。容器１５の収容物としては、液体、粉体、半固形などがある。
【００２９】
また、中央粘着部５は、側端部粘着部３ａ，３ｂ、及び、非粘着領域４，４で囲繞される部位である必要はなく、図３（ａ）に示すように、側端部粘着部３ａ，３ｂとの間に、中央粘着部５を囲繞するように非粘着領域４を形成してもよい。また、図３（ｂ）に示すように、非粘着領域４が逆コ字形状になるように、中央粘着部５を一方の側端部粘着部３ａの手前の位置から他側端部に亘って形成するようにしてもよい。さらに、図３（ｃ）に示すように、非粘着領域４がコ字形状になるように、中央粘着部５を一方の側端部粘着部３ａに隣接する位置から他側端部の手前にかけて形成するようにしてもよい。加えて、中央粘着部５は、図７（ａ）〜（ｃ）に示すように、ドット状、長楕円状（ストライプ状）、蛇行状に形成してもよく、その他、縞模様、渦巻き状などであってもよい。要するに、中央粘着部５は、容器１５の周面に対して粘着固定可能な最低限度の面積を確保できる大きさであればよい。
【００３０】
さらに、前記実施形態の場合、中央粘着部５の全面に粘着層を備えるようにしたが、例えば図４（ａ）〜（ｄ）に示すようにドット状６ａ、千鳥格子状６ｂ、ハッチング（平行する複数の斜線）状６ｃ、碁盤格子状６ｄのうちいずれか１つを備えるようにしてもよい。その他、縞模様、蛇行状、渦巻き状などであってもよい。
【００３１】
加えて、基材２の形状は、図示に限定されるものではなく、容器１５の形状に合わせて適宜設計変更可能である。例えば、図５（ａ）〜（ｃ）に示すように、長楕円、ブロック矢印状、略Ｓ字状であってもよい。その他、正方形や図６に示す菱形であってもよい。菱形の場合、対角に位置する左右の両角部に三角形状の側端部粘着部３ａ，３ｂを形成すると共に、中央部に中央粘着部５を形成し、側端部粘着部３ａ，３ｂ、及び、中央粘着部５を除く領域に非粘着領域４を形成する。そして、左右の側端部粘着部３ａ，３ｂのいずれかを貼着した後、中央粘着部５を容器１５の周面に沿って捲回し、残りの側端部粘着部３ｂ，３ａを貼着する。但し、上下の角部が剥がれないように、必要に応じて該両角部に三角形状の補助粘着部７ａ，７ｂを形成してもよい。
【００３２】
ラベル１の基材２としては、透明でも不透明であってもよく、上質紙、アート紙、ミラーコート紙、ホイル紙、クラフト紙、和紙、ユポ紙のうちいずれを使用してもよい。また、各粘着部３ａ，３ｂ、５に塗布される粘着剤としては、エマルジョン型粘着剤、ホットメルト型粘着剤、溶液型粘着剤、水溶液型粘着剤、液状反応型粘着剤のいずれを使用してもよい。但し、貼付後にラベル１を僅かに自由に動かすことを考慮すれば、粘着時に十分な流動性を持つものが好ましい。また、基材２として紙材を使用した場合、紙材の厚み、素材によっては粘着剤が基材２の表面に滲み出すようになって、商品の外観を損なう場合もあるが、基材２の表面を発砲ＰＥＴ加工すればこの問題には対処できる。
【図面の簡単な説明】
【００３３】
【図１】本発明の一実施形態に係るラベルを示す平面図である。
【図２】（ａ）、（ｂ）は本発明の一実施形態に係るラベルの実装状態を示す斜視図である。
【図３】（ａ）〜（ｃ）はラベルの変形例を示す平面図である。
【図４】（ａ）〜（ｄ）は粘着層の変形例を示す平面図である。
【図５】（ａ）〜（ｃ）はラベルの変形例を示す平面図である。
【図６】菱形のラベルを示す平面図である。
【図７】（ａ）〜（ｃ）は中央粘着部の変形例を示す平面図である。
【符号の説明】
【００３４】
１…ラベル、２…基材、３ａ，３ｂ…側端部粘着部、４…非粘着領域、５…中央粘着部、６ａ〜６ｄ …粘着層、７ａ，７ｂ…補助粘着部、１０…剥離紙、１５…容器、１６…胴部、１７…キャップ
【図１】
2006343582.tif 000003
【図２】
2006343582.tif 000004
【図３】
2006343582.tif 000005
【図４】
2006343582.tif 000006
【図５】
2006343582.tif 000007
【図６】
2006343582.tif 000008
【図７】
2006343582.tif 000009